(57)【要約】本発明は、携帯可能なオーディオプレーヤのような携帯可能なコンテンツ提示装置（１０１）に関する。携帯可能な提示装置（１０１）は、第１コンテンツ信号を供給するコンテンツ信号ソース（１０３）を有する。メモリ（１１１）は、コンテンツ信号をバッファして、電子的ショック保護を提供している。携帯可能な提示装置（１０１）は、適切な提示信号を生成する提示信号生成器（１０５）を有する。携帯可能なコンテンツ提示装置（１０１）は、メモリコントローラ（１１３）を有し、これは、バッファのメモリ配分を動的に調整し、第２アプリケーション用のメモリ（１１１）の第２メモリ配分を作成する。ポータビリティプロセッサ（１２３）は、ポータビリティ状態（例えば、静止又は携帯使用を示す）を判断し、前記メモリ配分は、これに応答して、前記バッファメモリは、携帯可能な提示装置（１０１）が、静止モードで使用される場合に、前記第２アプリケーションに再配分される。前記第２アプリケーションは、画像用提示アプリケーションのような第２提示アプリケーションであり得る。
2006509315.tif 000002
【特許請求の範囲】
【請求項１】
携帯可能なコンテンツ提示装置であって、
―  第１コンテンツ信号を供給するコンテンツ信号ソース、
―  メモリ、
―  前記第１コンテンツ信号から提示信号を生成するように動作可能な提示信号生成器、
―  前記携帯可能なコンテンツ提示装置のポータビリティ状態を判断するポータビリティプロセッサ、及び
―  前記ポータビリティ状態に応じて、前記第１コンテンツ信号に関連する前記メモリの第１メモリ配分を動的に調整して、第２アプリケーション用の前記メモリの第２メモリ配分を作成するように動作可能な、メモリコントローラ、
を有する携帯可能なコンテンツ提示装置。
【請求項２】
前記第１メモリ配分が、前記第１コンテンツ信号用のバッファメモリ配分である、請求項１に記載の携帯可能なコンテンツ提示装置。
【請求項３】
前記第１メモリ配分が、電子的ショック保護用のメモリであって、前記携帯可能なコンテンツ提示装置が、コンテンツ信号バッファの出力レートの変動を減少するように、前記第１コンテンツ信号の前記メモリ内へのバッファリングを制御するように動作可能であるショック保護プロセッサを有する、請求項２に記載の携帯可能なコンテンツ提示装置。
【請求項４】
前記ポータビリティ状態が、前記携帯可能なコンテンツ提示装置が、実質的に静止状態にあるか又は実質的に携帯可能な状態にあるかのポータビリティ状態の指示を有する、請求項１に記載の携帯可能なコンテンツ提示装置。
【請求項５】
前記ポータビリティプロセッサは、動き検出に応じて、前記ポータビリティ状態の指示を設定するように動作可能である、請求項４に記載の携帯可能なコンテンツ提示装置。
【請求項６】
前記ポータビリティプロセッサが、前記携帯可能なコンテンツ提示装置が、外部接続を有していることの検出に応じて、前記ポータビリティ状態の表示を設定するように動作可能である、請求項４に記載の携帯可能なコンテンツ提示装置。
【請求項７】
前記外部接続が、実質的に静止している提示装置への外部接続である、請求項６に記載の携帯可能なコンテンツ提示装置。
【請求項８】
前記外部接続が、電源への外部接続である、請求項６に記載の携帯可能なコンテンツ提示装置。
【請求項９】
前記第２アプリケーションが、前記携帯可能なコンテンツ提示装置の制御アプリケーションである、請求項１に記載の携帯可能なコンテンツ提示装置。
【請求項１０】
前記コンテンツソースが、更に、第２コンテンツ信号を供給するように動作可能であり、前記第２アプリケーションが、前記第２コンテンツ信号と関連する処理機能である、請求項１に記載の携帯可能なコンテンツ提示装置。
【請求項１１】
前記第２アプリケーションは、第２コンテンツ信号の提示アプリケーションである、請求項１に記載の携帯可能なコンテンツ提示装置。
【請求項１２】
前記第２コンテンツ信号が、前記第１コンテンツ信号と異なる種類のコンテンツ信号である、請求項１１に記載の携帯可能なコンテンツ提示装置。
【請求項１３】
前記第１コンテンツ信号が、オーディオコンテンツ信号であって、前記第２コンテンツ信号が、画像コンテンツ信号である、請求項１２に記載の携帯可能なコンテンツ提示装置。
【請求項１４】
前記第２アプリケーションが、画像提示アプリケーションであって、前記携帯可能なコンテンツ提示装置は、前記第２メモリ配分を画像キャッシュとして使用するように動作可能である、請求項１３に記載の携帯可能な提示装置。
【請求項１５】
前記第２アプリケーションが、前記第２メモリ配分の作成によって可能にされる、請求項１に記載の携帯可能なコンテンツ提示装置。
【請求項１６】
前記携帯可能なコンテンツ提示装置が、携帯可能なオーディオプレーヤである、請求項１に記載の携帯可能なコンテンツ提示装置。
【請求項１７】
前記メモリが、単一のメモリエレメントによって構成されている、請求項１に記載の携帯可能なコンテンツ提示装置。
【請求項１８】
―  第１コンテンツ信号を受信するステップ、
―  携帯可能なコンテンツ提示装置のポータビリティ状態を判断するステップ、
―  前記第１コンテンツ信号から提示信号を生成するステップ、及び
―  前記第１コンテンツ信号に関連するメモリの第１メモリ配分と、第２アプリケーション用の前記メモリの第２メモリ配分とを、動的に調整するステップ、
を有する、コンテンツを提示する方法。
【請求項１９】
請求項１８に記載の方法の実行を可能にするコンピュータプログラム。
【請求項２０】
請求項１９に記載のコンピュータプログラムを有する記録担体。
【発明の詳細な説明】
【技術分野】
【０００１】
本発明は、携帯可能なコンテンツ提示装置（portable content presentation device）、及びこれらのためのコンテンツを提示する方法とに関し、詳細には、第２アプリケーションを実行することができる携帯可能なオーディオプレーヤに関する。
【背景技術】
【０００２】
近年、民生電子機器の量及び多様性は、劇的に増加している。かなりの程度まで、この増加は、以前はアナログ方式でエンコードされて頒布されていた複数の異なるコンテンツの種類に対する、デジタルソースのエンコード及び頒布の増加された利用可能性及び使用に関連している。これらのコンテンツの種類は、オーディオ信号及びビデオ信号を含む。
【０００３】
例えば、ビデオ信号及びテレビジョン放送は、従来より、アナログ信号として伝送されている。しかしながら、デジタルエンコードが、ますます使用されており、特に、デジタルＭＰＥＧ２エンコードを使用するテレビジョン放送は、アナログ伝送よりも、徐々に、普及してきている。同様に、オーディオ信号は、典型的には、ラジオ放送用にアナログ方式でエンコードされているが、最近１０年間において、デジタルラジオ放送の伝送が、例えば、デジタルオーディオ放送(ＤＡＢ)規格のような放送規格の標準化を通じて、利用可能になっている。
【０００４】
オーディオコンテンツの頒布に基づく記憶媒体の分野において、デジタルソースのエンコード及び頒布は、最近２０年間に渡って、一般的になった。よく知られている例は、オーディオ信号が、元の前記オーディオ信号のデジタルサンプリング値として記憶されるコンパクトディスク(ＣＤ)である。近年、この傾向は、減少された記憶及び頒布の帯域幅の必要条件を可能にするように開発されている複数のデジタル圧縮技術によって継続されている。例は、良く知られている圧縮規格ＭＰ３であり、これは、例えばＣＤと比較して、オーディオ信号をエンコードするのに必要なデータサイズを大幅に減少する。
【０００５】
他の分野において、デジタル写真カメラが、一般的に利用可能になり、従来のフィルムベースのカメラよりも、高い売り上げ数の達成に近づいている。この結果、デジタルピクチャを記憶し、処理し、表示することができる新しい装置が開発されている。
【０００６】
多くの異なるデジタル方式でエンコードされた信号の出現は、異なるコンテンツ信号に関連する装置及びアプリケーションの収束化を生じている。例えば、記録可能なＣＤ又はメモリカードのような記憶媒体は、デジタル方式でエンコードされた音楽又はデジタルピクチャを含む多くの異なるコンテンツ信号と共に使用されることができる。更に、現在、異なる機能を単一の装置に統合する傾向がある。更に、携帯可能な装置の機能及び能力の向上化の傾向がある。この傾向は、大体において、コンテンツ信号のデジタル提示とこれらに関連するデジタル処理とによって提供される機会によって、駆動されている。
【０００７】
例えば、ＣＤプレーヤのような在来の携帯可能な音楽プレーヤは、典型的には、情報を供給してナビゲーションを助ける小型の付属ディスプレイを有している。しかしながら、オーディオ及びビデオコンテンツの両方を提示することができる装置が、出現している。この場合、ビデオディスプレイユニットが、付加的に、前記オーディオコンテンツの情報及びナビゲーションに使用されることができる。前記ビデオディスプレイユニットは、例えば、外付けのテレビジョン装置であり得る。
【０００８】
例えば、多くの携帯可能なＣＤプレーヤは、現在、ＭＰ３エンコードされたオーディオ信号をデコードすることができる。他の例として、ほとんどのデジタルカメラが、ビデオ記録機能を備えており、ほとんどのデジタルカムコーダが、何らかのデジタル写真撮影機能を備えている。３番目の例として、多くの移動電話が、ＭＰ３エンコードされた信号をデコードして再生する付加的な機能を備えている。
【発明の開示】
【発明が解決しようとする課題】
【０００９】
しかしながら、典型的には、異なる及びもしかすると互換性のない機能の組み合わせは、装置の必要条件を増加させ、特に、計算及びメモリの必要条件を増加させる。従って、付加的な処理電力及びメモリが、典型的には含まれなくてはならず、これによって、前記装置のコストが大幅に増加される。特に、コンテンツ提示装置にとって、前記付加的なメモリのリソースは、典型的には、非常に本質的であって、関連するコストに対する著しい影響を有する。
【００１０】
従って、改善されたコンテンツ提示システムは、有利であり、特に、改善されたアプリケーションの動作及び／又は改善されたメモリ効率を可能にする改善されたコンテンツ提示システムが、有利である。
【００１１】
従って、本発明は、上述の不利な点の１つ以上を、個々に又は何らかの組み合わせで、軽減する、緩和する又は解消することを目的とする。
【課題を解決するための手段】
【００１２】
本発明の第１の見地によれば、携帯可能なコンテンツ提示装置であって、第１コンテンツ信号を供給するコンテンツ信号ソースと；メモリと；前記第１コンテンツ信号から提示信号を生成するように動作可能な提示信号生成器と；前記携帯可能なコンテンツ提示装置のポータビリティ状態（portability state）を判断するポータビリティプロセッサと；前記ポータビリティ状態に応じて、前記第1コンテンツ信号に関連する前記メモリの第１メモリ配分を動的に調整し、第２アプリケーション用の前記メモリの第２メモリ配分を作成するように動作可能であるメモリコントローラと；を有する携帯可能なコンテンツ提示装置が提供される。
【００１３】
前記携帯可能なコンテンツ提示装置は、例えば、携帯可能なＣＤプレーヤ、ＤＶＤプレーヤ、ＭＰ３プレーヤ又はデジタルラジオであり得る。前記提示信号は、例えば、オーディオ信号又は画像信号であり得る。前記コンテンツ信号のソースは、ＣＤドライブのような内部コンテンツソースであり得る、又は外部ソースからコンテンツ信号を受信するように動作可能なインターフェース手段であり得る。前記メモリコントローラは、例えば、利用可能な前記メモリを第１メモリ配分と第２メモリ配分とに分割することによって、前記第１メモリ配分を調整し、前記第２メモリ配分を作成することができる。所与のメモリ区画が、所与の特徴又は出来事に応じて、例えば、バッファメモリ配分として又は第２メモリ配分として、配分されることができる。特に、前記メモリコントローラは、前記メモリの全体を、第１メモリ配分として配分するか、又は第２メモリ配分としての配分するかを、切り替えることができる。代替的には、前記メモリは、並列アプリケーションの間で、効率的に分割されることができる。
【００１４】
従って、本発明は、改善されたメモリ効率を有する、改善された携帯可能なコンテンツ提示装置を可能にする。特に、前記第１コンテンツ信号に関連するメモリが、第２アプリケーション用のメモリとして再使用されることができる。従って、前記第２アプリケーションの動作が、例えば、このメモリ配分によって、改善される又は有効にされることができる。第２アプリケーションを実行することができる携帯可能なコンテンツ提示装置の、全体のメモリの必要条件は、軽減されることができる。従って、特に、複数の機能及び能力を有するコンテンツ提示装置は、改善された動的なメモリ配分による利益を得る。利用可能なメモリが、特に、現在の必要条件及び必要性に従って、共有される又は配分されることができる。メモリ利用可能率を増加させると、典型的には、処理速度を上げることができる。従って、本発明は、改善されたメモリ効率、減少されたコスト、増加された自由度、軽減された複雑性及び／又は向上された処理速度を有するコンテンツ提示装置の提供に役立つ。
【００１５】
特に、前記第１コンテンツ信号に関連するメモリ（例えば、バッファメモリ）に対する前記必要条件は、しばしば、前記携帯可能な提示装置の現在のポータビリティの特徴と関連付けられることができ、ポータビリティ状態に応じてバッファメモリを配分することにより、改善されたメモリ配分が実現されることができる。特に、前記バッファメモリ配分は、現在の前記ポータビリティ状態に適した性能を実現するように決定されることができ、特に、前記バッファメモリ配分は、運動が増加する場合に、増加されることができる。この場合、前記第２メモリ配分は、前記性能に対する影響が無視できる間は、最大化される傾向にある。前記ポータビリティ状態は、例えば、ユーザ入力から決定されることができる。
【００１６】
本発明のフィーチャによれば、前記第１メモリ配分は、前記第１コンテンツ信号用のバッファメモリ配分である。これは、携帯可能な状態におけるバッファリングを可能にすると共に、バッファリングが静止状態において必要でない場合に、前記メモリが再使用されることを可能にする。
【００１７】
本発明の他のフィーチャによれば、前記第１メモリ配分は、電子的ショック保護用のメモリであって、前記携帯可能なコンテンツ提示装置は、ショック保護プロセッサを有し、該ショック保護プロセッサは、コンテンツ信号のバッファの出力レートの変動を減少するように、前記メモリ内への前記第１コンテンツ信号のバッファリングを制御するように動作可能である。従って、本発明は、携帯可能な装置の前記電子的ショック保護用のメモリが、第２アプリケーションによって使用されることを可能にする。これによって、前記第２アプリケーションの動作を改善することができる。特に、前記メモリの全て又はこの一部は、前記電子的ショック保護用のメモリが、前記コンテンツ信号の前記コンテンツ提示の許容可能な性能に対して、全く又はほとんど必要でない場合に、前記第２アプリケーションに配分されることができる。従って、前記携帯可能な提示装置の前記性能が、改善されることができる。代替的には又は付加的には、前記携帯可能な提示装置の前記メモリの必要条件が、軽減されることができ、この結果、低コストとなる。
【００１８】
本発明の他のフィーチャによれば、前記ポータビリティ状態は、前記携帯可能なコンテンツ提示装置が、実質的に静止状態にある又は実質的に携帯可能な状態にあるかのポータビリティ状態の指示を含む。これは、簡潔で、信頼性のあるポータビリティ状態の検出を可能にすると共に、有利なメモリ配分と、良好な性能とを可能にする。前記バッファメモリの必要条件は、典型的には、静止使用の場合には、低い又は存在しないが、非静止使用の場合には、高い。例えば、電子的ショック保護用のメモリの場合、前記メモリのほとんど全ては、典型的には、静止使用の場合には、前記第２メモリ配分に配分されることができる。しかしながら、非静止使用の場合には、前記メモリのほとんど全てが、前記バッファメモリ配分に配分されることができる。
【００１９】
本発明の他のフィーチャによれば、前記ポータビリティプロセッサは、動き検出に応じて、前記ポータビリティ状態の指示を設定するように動作可能である。前記動き検出は、例えば、専用の動き検出器による直接検出であっても良く、又は、例えば、前記コンテンツ信号ソースからの前記コンテンツ信号における中断の検出を介する間接的なものであっても良い。このフィーチャは、ポータビリティ状態の指示の検出に、適切で有利な実施を可能にする。
【００２０】
本発明の他のフィーチャによれば、前記ポータビリティプロセッサは、前記携帯可能なコンテンツ提示装置が外部接続を有することの検出に応じて、前記ポータビリティ状態の指示を設定するように動作可能である。外部接続とは、例えば、外部の提示手段への接続であり得る。接続の前記検出は、外部装置に関連する信号、特性又は指示の検出によるものであり得る。代替的には又は付加的には、前記検出は、例えば、コネクタが前記携帯可能なコンテンツ提示装置に取り付けられていることの検出による物理的検出によるものであり得る。従って、非常に信頼でき、簡潔で、実施しやすい、ポータビリティ状態の指示を判断する手段が、提供されることができる。
【００２１】
本発明の他のフィーチャによれば、前記外部接続は、実質的に静止している提示装置への外部接続である。前記コンテンツ信号及び／又は前記第２アプリケーションに依存して、前記装置は、例えば、テレビジョン装置のような外部モニタ、ＨｉＦｉ装置のようなオーディオアンプ、又はコンピュータであってもよい。実質的に静止している提示装置への外部接続は、前記携帯可能なコンテンツ提示装置が静止モードで使用されている高い可能性を与えるので、前記ポータビリティ状態の指示は、高い信頼性で設定されることができる。
【００２２】
本発明の他のフィーチャによれば、前記外部接続は、電源への外部接続である。外部電源は、例えば、利用可能である該外部電源によって、又は携帯可能な提示装置に接続されている電源コネクタによって検出されることができる。外部電源の存在は、前記携帯可能な提示装置が静止モードで使用されている高い確率を与えるので、前記ポータビリティ状態の指示は、高い信頼性で設定されることができる。
【００２３】
本発明の他のフィーチャによれば、前記第２アプリケーションは、前記携帯可能なコンテンツ提示装置の制御アプリケーションである。前記制御アプリケーションは、例えば、グラフィカルユーザインターフェース(ＧＵＩ)のような、ユーザインターフェースアプリケーションであり得る。前記制御アプリケーションは、主に静止モードで使用されるアプリケーションのような、静止動作に、特に関連するものであり得る。例えば、ＧＵＩは、前記携帯可能な提示装置が、外部モニタに接続されている場合にのみ、提供されることができる。従って、前記制御アプリケーションへのバッファメモリの配分によって、前記制御アプリケーションが有効にされる、又は改善された動作が可能にされることができる。
【００２４】
本発明の他のフィーチャによれば、前記コンテンツ信号のソースは、更に、第２コンテンツ信号を供給するように動作可能であり、前記第２アプリケーションは、前記第２コンテンツ信号に関連する処理機能である。好ましくは、前記第２アプリケーションは、第２コンテンツ信号の提示アプリケーションである。前記携帯可能な提示装置は、異なる種類のコンテンツ信号を提示することができ得る。例えば、前記携帯可能な提示装置は、ＭＰ３信号のようなオーディオ信号と、デジタルピクチャのような画像データの同時提示とを提示することができる。前記コンテンツ信号のソースは、例えば、メモリカード及びＣＤドライブのような、複数の異なるサブコンテンツソースを含み得る。従って、異なる機能が、前記携帯可能な提示装置内に組み込まれることができ、前記利用可能なメモリは、これらの間に動的に配分されることができる。特に、前記第２アプリケーションのコンテンツ提示の動作は、前記バッファメモリが、前記コンテンツ信号のソースからの前記コンテンツ信号の提示に必要でない場合に、改善されることができる。
【００２５】
本発明の他のフィーチャによれば、前記第２コンテンツ信号は、前記第１コンテンツ信号とは異なる種類のコンテンツ信号である。好ましくは、前記第１コンテンツ信号は、オーディオコンテンツ信号であって、前記第２コンテンツ信号は、画像コンテンツ信号である。前記メモリは、異なる種類のコンテンツ信号に対する提示アプリケーションの性能を最適化するのに使用されることができる。
【００２６】
本発明の他のフィーチャによれば、前記第２アプリケーションは、画像提示アプリケーションであって、前記携帯可能なコンテンツ提示装置は、前記第２メモリ配分を、画像キャッシュとして使用するように動作可能である。バッファメモリ用、及び画像キャッシュ用の両方に前記メモリを使用することは、前記異なるコンテンツ信号に対する異なる利益が同一の前記メモリから得られるので、性能を向上させ、及び／又はメモリの必要条件を軽減する。
【００２７】
本発明の他のフィーチャによれば、前記第２アプリケーションは、前記第２メモリ配分の作成によって有効にされる。特に、前記第２アプリケーションは、前記携帯可能な提示装置が静止している場合にのみ利用可能であるアプリケーションであることができる。このことによって、前記メモリが利用可能である場合にのみ、付加的なアプリケーションが提供されることができるので、該付加的なアプリケーションは、メモリの必要条件を増加させずに提供されることができる。
【００２８】
本発明の他のフィーチャによれば、前記メモリは、単一のメモリエレメントから成る。このことによって、単一のメモリエレメントは、より安価であり、より空間を占めない傾向にあるので、前記携帯可能な提示装置のコスト及び大きさを減少することができる。
【００２９】
本発明の第２の見地によれば、コンテンツを提示する方法であって、第１コンテンツ信号を受信するステップと；前記第１コンテンツ信号をメモリ内にバッファするステップと；前記第１コンテンツ信号から提示信号を生成するステップと；前記コンテンツ信号のバッファ用の前記メモリのバッファメモリ配分と第２アプリケーション用の前記メモリの第２メモリ配分とを動的に調整するステップと；を有する方法が提供される。
【発明を実施するための最良の形態】
【００３０】
本発明のこれら及び他の見地は、以下に記載される実施例を参照して、明らかになり、説明されるであろう。
【００３１】
本発明の実施例は、添付図面を参照して、ほんの一例として記載されるであろう。
【００３２】
以下の記載では、携帯可能なオーディオプレーヤであって、詳細には、デジタル画像のような第２の画像コンテンツの種類を付加的に提示することができる携帯可能なオーディオプレーヤに該当する本発明の実施例に焦点をあてている。しかしながら、本発明は、この応用例に限定されるものではないと理解されるであろう。これらの詳細な実施例は、前記第１メモリ配分が、バッファメモリであって、特に、電子的ショック保護用のメモリである実施例に焦点をあてている。しかしながら、前記第１メモリ配分が、前記第１コンテンツ信号に関連するいかなる適切なアプリケーションにも使用されることができることは、本発明の熟考の範囲内にある。
【００３３】
図１は、本発明の実施例による携帯可能な提示装置を示している。上述の実施例において、前記携帯可能な提示装置は、オーディオ信号を再生することができる携帯可能なオーディオプレーヤ１０１である。
【００３４】
携帯可能なオーディオプレーヤ１０１は、コンテンツ信号ソース１０３を有しており、好適な実施例において、コンパクトディスク上に記憶されているデータを取得することができるＣＤドライブである。コンテンツ信号ソース１０３は、ＣＤから読み出されるデータに対応するデータストリームを供給する。前記コンテンツ信号は、前記好適な実施例において、典型的には、携帯可能なオーディオプレーヤ１０１内に位置された前記ＣＤに依存して、ノーマルにＰＣＭ(パルス符号変調)エンコードされた信号であり得る、又はＭＰ３エンコードされた信号であり得る。
【００３５】
コンテンツ信号ソース１０３は、提示信号生成器１０５に接続されており、該提示信号生成器１０５は、コンテンツ信号ソース１０３から受信された前記コンテンツ信号から提示信号を生成する。前記好適な実施例において、提示信号生成器１０５は、従来技術において良く知られているように、前記コンテンツ信号をデコードしてアナログオーディオ信号を生成する。
【００３６】
前記コンテンツ信号の性質に依存して、デコードは、例えば、ＰＣＭデコード又はＭＰ３デコードを含み得る。
【００３７】
前記提示信号生成器１０５は、第１出力エレメント１０７に接続されており、該第１出力エレメント１０７は、第１外部提示装置１０９に接続されることができる。前記好適な実施例において、前記第１出力エレメント１０７は、アナログオーディオアンプであって、該アナログオーディオアンプは、前記提示信号生成器１０５によって生成されたアナログオーディオ信号を、第１外部提示装置１０９に適したレベルに増幅する。前記第１外部提示装置は、詳細には、ヘッドホン、スピーカ、外部アンプ又はオーディオ処理機器であり得る。
【００３８】
コンテンツ信号ソース１０３は、更に、メモリ１１１に結合されている。動作の間、前記コンテンツ信号ソース１０３からの前記コンテンツ信号は、メモリ１１１に供給され、ここにバッファされることができる。前記好適な実施例において、前記メモリは、ＦＩＦＯ(ファーストインファーストアウト)バッファとして機能することができ、コンテンツ信号ソース１０３からの前記データストリームが、一時的に記録される。ＦＩＦＯバッファの利点は、到来するデータのレートの変動が補償されることができ、該データが、ほぼ一定のレートで読み出されることができることである。従って、前記メモリは、電子的ショック保護用のメモリとして機能することができる。使用中、携帯可能なＣＤドライブは、前記コンテンツ信号が一時的に中断され得るような、物理的な運動及びショックの影響を受けやすい傾向にある。従って、コンテンツ信号ソース１０３からの前記コンテンツ信号は、補償されない場合には、可聴的な中断（audible interruption）を生じる著しい変動を呈し得る。しかしながら、前記コンテンツ信号をメモリ１１１内にバッファすることによって、データは、ほぼ連続的に読み出されることができ、これによって前記オーディオ出力の中断が、減少されることができる。前記バッファメモリが大きいほど、ショックに対する高い保護が実現される。図１の前記実施例において、提示信号生成器１０５は、コンテンツ信号ソース１０３から直接的に、又はメモリ１１１のメモリバッファを介して、前記コンテンツ信号を受け取ることができる。
【００３９】
前記携帯可能なオーディオプレーヤは、更に、前記オーディオ信号を再生するだけではない他のアプリケーションを実行することができる。異なる実施例において、前記携帯可能なオーディオプレーヤは、例えば、外部ソースから受け取ったビデオ信号を提示する、グラフィカルユーザインターフェースを提示する、又はソース信号のエンコード機能を実施することができる。従って、携帯可能なオーディオプレーヤ１０１は、メモリコントローラ１１３を有し、該コントローラ１１３は、メモリ１１１(又はこの一部)を、種々のアプリケーションに配分するように動作可能である。特に、メモリコントローラ１１３は、前記コンテンツ信号をバッファするメモリ１１１の第１メモリ配分を、動的に調整することができ、これによって、前記第２アプリケーション用に使用されることができる第２メモリ配分が、作成されることができる。前記好適な実施例において、前記第１メモリ配分は、バッファメモリ配分である。従って、メモリコントローラ１１３は、前記第２アプリケーションと、コンテンツ信号ソース１０３からの前記コンテンツ信号のバッファリングとの間の、メモリ１１１の配分を制御することができる。従って、前記バッファリングと前記ショックの保護とは、例えば、前記第２アプリケーションの前記動作及びメモリの必要条件に対して、トレードオフされることができる。
【００４０】
前記好適な実施例において、前記第２アプリケーションは、第２コンテンツ信号の第２コンテンツ提示である。前記第２コンテンツ信号は、前記第１コンテンツ信号と異なる種類のものであることができ、前記好適な実施例においては、デジタル画像を含むコンテンツ信号である。
【００４１】
従って、図２の携帯可能なオーディオプレーヤ１０１は、更に、第２コンテンツ信号ソース１１５を有する。第２コンテンツ信号ソース１１５は、例えば、デジタルカメラからのデジタルピクチャを有するメモリカードであり得る。いくつかの実施例において、前記第１及び第２コンテンツ信号ソース１１３、１１５は、同一のコンテンツ信号ソースであることができる。例えば、第１コンテンツ信号ソース１１３の前記ＣＤドライブは、付加的に、例えば、従来型のフィルムベースのピクチャの開発の間に製造されたフォトディスクのようなＣＤ上に記憶されたデジタル画像を取得するのに使用されることもできる。
【００４２】
第２コンテンツ信号ソース１１５は、第２提示信号を生成する第２提示信号生成器１１７に接続されている。前記好適な実施例において、第２提示信号生成器１１７は、前記第２コンテンツ信号ソースから受け取った１つ以上の画像を含むビデオ信号を生成する。特に、第２提示信号生成器１１７は、前記ビデオ信号の画像コンテンツを変更するように動作可能である。詳細には、第２提示信号生成器１１７は、ユーザ入力を受け取り、これに応じて提示されるべき特定の画像を、前記第２コンテンツ信号から選択することができる。従って、第２提示信号生成器１１７は、好ましくは、前記必要なコンテンツデータを取得するように前記第２コンテンツ信号ソース１１５にアクセスするように動作可能である。
【００４３】
第２提示信号生成器１１７は、第２出力エレメント１１９に接続されており、該第２出力エレメント１１９は、前記第２提示信号を、第２提示装置１２１にインターフェースするように動作可能である。前記好適な実施例において、第２提示装置１２１は、ビデオモニタ又はテレビジョン装置であって、第２出力エレメント１１９は、第２提示信号生成器１１７からの前記ビデオ信号を、該ビデオ信号が前記ビデオモニタ又はテレビジョン装置に適するものになるように、増幅して変調するように動作可能である。
【００４４】
従って、前記好適な実施例において、携帯可能なオーディオプレーヤ１０１は、付加的に、ユーザがテレビジョン装置又はビデオモニタ上のデジタル画像を見ることができるようにする第２アプリケーションを提供する。前記ユーザは、見るピクチャを選択する、ピクチャを検索する、スライドショーを提示する、及びピクチャを処理することができる。前記好適な実施例において、前記異なるアプリケーションは、更に、共存し、互いに統合されることができる。従って、例えば、ＭＰ３エンコードされた音楽の系列が、特定の画像に関連付けられることができ、この画像が選択されたときに、関連付けられた前記音楽の系列が、再生されることができる。従って、前記第１及び第２提示装置１０９、１２１は、特に、同一の装置であってもよい。
【００４５】
第２コンテンツ信号ソース１１５は、更に、メモリ１１１に接続されており、前記好適な実施例において、メモリコントローラ１１３は、所与のアルゴリズムによって２つの前記アプリケーションの間で配分されるように、前記メモリを制御するように動作可能である。特に、メモリ１１１は、前記好適な実施例において、前記第２アプリケーション用の画像キャッシュとして使用されている。従って、前記第２アプリケーションに配分されたメモリ１１１は、前記画像への速いアクセスを可能にし、従って速い動作を可能にする。従って、前記第２アプリケーションの動作は、増加されたメモリ配分の大きさによって、改善する傾向にある。
【００４６】
前記好適な実施例において、前記第２アプリケーションは、更に、ユーザへのグラフィカルユーザインターフェース(ＧＵＩ)の提示を含む。従って、第２提示信号生成器１１７は、付加的に、第２提示装置１２１上での提示用のＧＵＩ信号を生成するように動作可能である。前記ＧＵＩは、特に、画像の前記提示を制御するのに使用されることができる。ＧＵＩアプリケーションは、更に、前記第２アプリケーションに配分されたメモリを使用することができる。
【００４７】
いくつかの実施例において、前記第２アプリケーションは、ＧＵＩ、（オーディオ）コンテンツのインデックス、又は視覚効果等のように、前記第１信号ソースの異なる提示であることもできる。
【００４８】
前記好適な実施例において、携帯可能なオーディオプレーヤ１０１のメモリ１１１の前記メモリ配分は、携帯可能なオーディオプレーヤ１０１のポータビリティ状態に応じて、配分される。例えば、前記好適な実施例において、携帯可能なオーディオプレーヤ１０１が、携帯可能な装置として使用されている場合には、電子的ショック保護に対する必要条件は高い。しかしながら、画像提示の前記第２アプリケーションは、外部の、典型的には静止した提示装置１２１と関連付けられており、従って、静止状態で使用される傾向にある。従って、メモリ１１１は、ポータビリティの状態においては、前記オーディオコンテンツ信号の前記バッファリングへの前記メモリ配分が高く、静止使用の状態においては、前記第２アプリケーションへの前記メモリ配分が高くなることができるように、配分されることができる。特に、利用可能なメモリ全体は、携帯可能状態にある場合には、前記オーディオ信号提示に配分され、静止状態にある場合には、前記第２アプリケーションに配分されることができる。
【００４９】
従って、携帯可能なオーディオプレーヤ１０１は、携帯可能なオーディオプレーヤ１０１のポータビリティ状態を判断するように動作可能な、ポータビリティプロセッサ１２３を有する。ポータビリティプロセッサ１２３は、判断された前記ポータビリティ状態に従ってメモリ１１１のメモリ配分を制御するメモリコントローラ１１３に接続されている。前記好適な実施例において、前記メモリ配分は、更に、ユーザ入力に応じるものであることができ、これによって、ユーザが前記種々のアプリケーションの前記動作を調整することを可能にする。これは、ポータビリティプロセッサ１２３が、携帯可能なオーディオプレーヤ１０１の実際の現在の使用と一致しないポータビリティ状態を判断する状況において、特に、有益であり得る。
【００５０】
ポータビリティプロセッサ１２３は、何らかの適切なアルゴリズム又は基準に従って、前記ポータビリティ状態を判断することができる。例えば、携帯可能なオーディオプレーヤ１０１は、携帯可能なオーディオプレーヤ１０１が移動されていることを検出することができる動き検出器を有することもできる。前記のような動き検出器は、例えば、振動が所与のレベルを超える場合に可動部材が電気的接続を形成する、小型の機械的振動センサを含み得る。
【００５１】
しかしながら、前記好適な実施例において、前記ポータビリティ状態は、携帯可能なオーディオ１０１が外部接続を有していることの検出に応じて、判断される。例えば、上述の実施例において、前記第２アプリケーションは、外部提示装置１２１への接続を必要とする。従って、携帯可能なオーディオプレーヤ１０１が、第２提示装置１２１に接続されている場合、前記第２アプリケーションが使用されそうであるので、好ましくは、メモリ配分が、設けられてもよい。更に、携帯可能なオーディオプレーヤ１０１は、前記外部提示装置が静止しているものであるので、静止モードにおいて使用されそうである。従って、携帯可能なオーディオプレーヤ１０１が外部装置１２１に接続されているかどうかを検出することによって、メモリ１１１の前記メモリ配分が最適化されることができ、これによって、携帯可能なオーディオプレーヤ１０１の前記種々のアプリケーションの、向上された動作を可能にし、前記メモリの使用を最適化する。従って、利用可能なメモリが、効率的に共有されるので、必要なメモリの全体量は、減少される。この結果、携帯可能なオーディオプレーヤ１０１のコストが減少される、及び／又は前記動作が改善されることができる。
【００５２】
携帯可能なオーディオプレーヤ１０１が外部提示装置に接続されていることの検出は、前記好適な実施例において、前記外部装置の信号の特徴の検出によるものであることができる。例えば、コネクタ入力における電圧の存在が、検出されることができ、これによって、前記外部装置が接続されていることを示すことができる。代替的には又は付加的には、前記外部接続の前記検出は、ただ単に、コネクタが携帯可能なオーディオプレーヤ１０１に結合されていることの機械的な検出によるものであることもできる。従って、携帯可能なオーディオプレーヤ１０１は、好ましくは、提示装置１２１への接続ケーブルを収容するソケットを有する。前記ソケットは、前記接続ケーブルが該ソケット内に挿入された場合に起動される機械的スイッチを含む。この実施例において、ポータビリティプロセッサ１２３は、ポータビリティ指示を、前記機械的スイッチが起動されている場合には静止に、そうでない場合には携帯（非静止）に設定するように動作可能である。
【００５３】
他の例として、携帯可能なオーディオプレーヤ１０１が外部提示装置に接続されていることの検出は、前記装置の出力における外部負荷の検出によるものであることもできる。例えば、モニタは、ビデオコネクタにおける外部負荷として検出されることができる。前記外部負荷は、例えば、前記ビデオ出力から得られる電流を測定することにより、検出されることができる。
【００５４】
代替的には又は付加的には、ポータビリティプロセッサ１２３は、携帯可能なオーディオプレーヤ１０１が、外部電源に接続されているかどうかを検出するように動作可能であることができる。携帯可能なオーディオプレーヤ１０１が外部電源に接続されている場合、この電源はメインアダプタであり得るので、携帯可能なオーディオプレーヤ１０１は、該メインアダプタに接続されており、従って、実質的に静止モードにおいて動作されることを意味する。前記検出は、携帯オーディオプレーヤ１０１内の電源コネクタの機械的挿入の検出によるものであることもできる、又は前記外部電源に関連する信号の検出によるものであることもできる。この信号は、単に、供給電圧内にあることもでき、又は、特に、前記外部電源が実質的に静止電源であることを示す識別信号であることもできる。
【００５５】
いくつかの実施例において、前記第２メモリ配分は、前記第２アプリケーションの改善された動作を提供する。しかしながら、他の実施例において、前記第２メモリ配分は、前記第２アプリケーションが実行されるのに必要である。従って、前記第２アプリケーションは、特に、前記第２メモリ配分の存在を当てにして設計されることができる。特に、静止モードにおいてのみ使用されることができるアプリケーションは、いかなる付加的な必要条件も前記装置のメモリサイズに課されることなく、実行されることができる。図２は、本発明の実施例によるコンテンツを提示する方法のフローチャートを示している。前記方法は、図１の携帯可能なオーディオプレーヤ１０１を参照して記載されるであろう。
【００５６】
ステップ２０１において、携帯可能なオーディオプレーヤ１０１は、コンテンツソースから第１コンテンツ信号を受け取る。前記コンテンツソースは、第１コンテンツソース１０３であることもでき、又は外部のコンテンツソースであることもできる。ステップ２０１に後続する、ステップ２０３において、前記コンテンツ信号は、メモリ１１１内にバッファされる。ステップ２０３には、ステップ２０５が後続し、提示信号生成器１０５は、前記第１コンテンツ信号から提示信号を生成する。前記提示信号は、外部提示装置１０９上に提示される。ステップ２０７において、メモリコントローラ１１３は、前記コンテンツ信号をバッファするメモリ１１１の前記バッファメモリ配分と、第２アプリケーション用の第２メモリ配分とを動的に調整する。ステップ２０７にはステップ２０９が後続し、前記第２アプリケーションが、処理される。前記方法は、続いて、ステップ２０１に戻って、繰り返される。
【００５７】
本発明は、ハードウェア、ソフトウェア、ファームウェア、又はこれらのいかなる組み合わせも含む、適切な形態で、実施されることができる。しかしながら、好ましくは、本発明は、１つ以上のデータプロセッサ及び／又はデジタル信号プロセッサ上で実行されるソフトウェアとして実施される。本発明の実施例のこれらのエレメント及び構成要素は、物理的に、機能的に、及び論理的に、何らかの適切な態様で実施されることができる。実際に、前記機能は、単一のユニットにおいて、複数のユニットにおいて、又は機能的ユニットの一部として、実施されることができる。このように、本発明は、単一のユニットで実施されることもでき、又は種々のユニット及びプロセッサの間に、物理的に及び機能的に、分散化されることもできる。
【００５８】
本発明が、以下の利点の１つ以上を、個々に、又はいかなる順列若しくは組み合わせにおいて、提供する傾向にあることが明らかになるであろう。
・本発明は、複数のアプリケーションの動作を改善する及び／又はこれらを可能にする。
・本発明は、メモリの必要条件を軽減して、コストを軽減する。
・本発明は、所与のポータビリティ状態に対して最適化されるメモリ性能を可能にする。
【００５９】
これら及び他の利点は、上述の記載から明らかになるであろう。
【００６０】
本発明は、前記好適な実施例と共に記載されているが、本明細書に記載した特定の形態に限定されるものではない。むしろ、本発明の範囲は、添付請求項のみによって限定される。前記請求項において、「有する」という語は、他の構成要素又はステップの存在を排除するものではない。更に、個々に記載されている複数の手段、エレメント、又は方法のステップは、例えば、単一のユニット又はプロセッサによって実施されることができる。付加的には、個々のフィーチャは異なる請求項に含まれ得るが、これらは、場合により、有利に組み合わされることができ、異なる請求項に含まれていることは、フィーチャの組み合わせが、実現可能ではない及び／又は有利ではないことを示すものではない。更に、単数形による記載は、複数であることを排除するものではない。従って、「単数形」、「第１」及び「第２」等のような記載は、複数であることを排除するものではない。
【００６１】
本発明は、携帯可能なオーディオプレーヤのような携帯可能なコンテンツ提示装置（１０１）に関する。携帯可能な提示装置（１０１）は、第１コンテンツ信号を供給するコンテンツ信号ソース（１０３）を有する。メモリ（１１１）は、コンテンツ信号をバッファして、電子的ショック保護を提供している。携帯可能な提示装置（１０１）は、適切な提示信号を生成する提示信号生成器（１０５）を有している。携帯可能な提示装置（１０１）は、メモリコントローラ（１１３）を有し、該メモリコントローラ（１１３）は、前記バッファメモリ配分を動的に調整し、第２アプリケーション用のメモリ（１１１）の第２メモリ配分を作成する。ポータビリティプロセッサ（１２３）は、ポータビリティ状態（例えば、静止又は携帯使用を示す）を判断し、前記メモリ配分は、これらに応じるものであり、前記バッファメモリは、携帯可能な提示装置（１０１）が、静止モードで使用される場合に、前記第２アプリケーションに再配分される。前記第２アプリケーションは、画像用提示アプリケーションのような第２提示アプリケーションであり得る。
【図面の簡単な説明】
【００６２】
【図１】本発明の実施例による携帯可能なオーディオプレーヤを示している。
【図２】本発明の実施例によるコンテンツを提示する方法のフローチャートを示している。
【図１】
2006509315.tif 000003
【図２】
2006509315.tif 000004
【国際調査報告】
2006509315.tif 000005
2006509315.tif 000006